(57)【特許請求の範囲】
【請求項１】
上下方向において第１接続対象物に対して取付可能であると共に前記上下方向と直交する前後方向に沿って後方に向かって挿入されるシート状又は板状の第２接続対象物と接続可能なコネクタであって、
前記第１接続対象物は、複数の第１接続部を有しており、
前記第２接続対象物は、複数の第２接続部を有しており、
前記コネクタは、複数の端子と、保持部材とを備えており、
前記保持部材は、保持部と、介在部とを有しており、
前記端子は、前記保持部材の前記保持部に保持されており、
前記端子は、前記上下方向及び前記前後方向の双方と直交するピッチ方向に並んでおり、
前記端子の夫々は、結線部と、接点部とを有しており、
前記端子の前記結線部は、前記コネクタが前記第１接続対象物に取り付けられる際に、前記第１接続部に夫々接続されるものであり、
前記端子の前記接点部は、前記コネクタに前記第２接続対象物が挿入される際に、前記第２接続部に夫々接続されるものであり、
前記結線部は、前記上下方向と交差する板状の形状を有しており、
前記接点部の中心と前記結線部の中心とは、前記ピッチ方向において互いに異なる位置に位置しており、
前記介在部と前記結線部とは、前記上下方向に沿って前記コネクタを見た場合において、少なくとも部分的に互いに重なっており、
前記上下方向における上方向に沿って前記コネクタを見た場合に、前記介在部及び前記結線部の一方が視認可能であり、
前記上下方向における下方向に沿って前記コネクタを見た場合に、前記介在部及び前記結線部の残りの一方が視認可能である
コネクタ。
【請求項２】
請求項１記載のコネクタであって、
前記保持部材は、上壁部と、下壁部とを更に有しており、
前記上壁部と前記下壁部とは、前記上下方向において互いに離れて位置しており、
前記上下方向における前記上壁部と前記下壁部との間には、受容部が形成されており、
前記受容部は、前記第２接続対象物が前記コネクタに接続されたときに前記第２接続対象物の一部を受容するものであり、
前記接点部は、前記上下方向において前記下壁部を超えて上方に突出しており、
前記介在部は、前記上下方向において前記結線部の上方に位置している
コネクタ。
【請求項３】
請求項２記載のコネクタであって、
前記結線部は、前記接点部よりも前記前後方向において前方に位置しており、
前記上壁部の前端は、前記下壁部の前端よりも前記前後方向において後方に位置しており、
前記介在部は、前記下壁部の一部として形成されており、
前記上下方向における下方向に沿って前記コネクタを見た場合に、前記介在部は視認可能である
コネクタ。
【請求項４】
請求項３記載のコネクタであって、
前記端子は、少なくとも所定領域においては、前記下壁部から前記上下方向において上方に突出する部分を有さず、
前記所定領域は、前記下壁部の前記前端から前記前後方向に沿って前記介在部の所定箇所までの領域であり、
前記介在部の前記所定箇所は、前記前後方向において前記結線部の後端と同じ位置に位置している
コネクタ。
【請求項５】
請求項４記載のコネクタであって、
前記接点部は、前記上壁部の前記前端よりも前記前後方向において後方に位置している
コネクタ。
【請求項６】
請求項３から請求項５までのいずれかに記載のコネクタであって、
前記保持部材の下部には、収容凹部が形成されており、
前記収容凹部は、前記上下方向において上方に凹んでいると共に前記前後方向において後方へ抜けており、
前記収容凹部は、前記コネクタを前記第１接続対象物であるケーブルに対して取り付ける場合に、前記ケーブルの一部を収容する
コネクタ。
【請求項７】
請求項１から請求項６までのいずれかに記載のコネクタであって、
前記介在部は、前記保持部とは別体である
コネクタ。
【請求項８】
請求項１から請求項７までのいずれかに記載のコネクタであって、
前記端子は、下顎部と、上顎部と、中間部と、連結部とを更に有しており、
前記接点部は、前記下顎部から前記上下方向において上方に突出しており、
前記下顎部と前記上顎部とは、前記上下方向において互いに離れて位置しており、
前記中間部は、前記下顎部と前記上顎部とを互いに接続しており、
前記連結部は、前記下顎部の下縁と前記結線部とを連結しており、
前記下顎部の下縁と前記結線部とは、前記上下方向において互いに離れて位置している
コネクタ。
【請求項９】
請求項８記載のコネクタであって、
前記保持部材には、対向部と、凹部とが形成されており、
前記対向部は、前記下顎部及び前記連結部の夫々と前記ピッチ方向において対向しており、
前記凹部は、前記対向部よりも前記ピッチ方向において凹んでいる
コネクタ。
【請求項１０】
請求項９記載のコネクタであって、
前記凹部は、前方及び上方の双方において開放されている
コネクタ。
【請求項１１】
請求項１から請求項１０までのいずれかに記載の前記コネクタと、ケーブルとを備えるケーブルハーネスであって、
前記ケーブルは前記第１接続対象物として前記コネクタに接続されている
ケーブルハーネス。
【発明の詳細な説明】
【技術分野】
【０００１】
本発明は、ＦＰＣ（Flexible Printed Circuit）やＦＦＣ（Flexible Flat Cable）のような板状又はシート状の対象物と接続するコネクタとそれを備えるケーブルハーネスに関する。
【背景技術】
【０００２】
図３１及び図３２を参照すると、特許文献１には、Ｚ方向において回路基板（図示せず）に対して取付可能であると共にＸ方向に沿って−Ｘ側に向かって挿入されるフレキシブルプリント配線板９５０と接続可能なコネクタ９００が開示されている。フレキシブルプリント配線板９５０は、接続部９６０を有している。コネクタ９００は、保持部材９１０と、受容部９１５と、複数の端子９２０とを備えている。受容部９１５は、フレキシブルプリント配線板９５０がコネクタ９００に挿入された際に、フレキシブルプリント配線板９５０の一部を受容する部分である。端子９２０は、下顎部９２２と、上顎部９２４と、中間部９２６と、被固定部９２８とを有している。上顎部９２４は、接点部９２５を有している。接点部９２５は、フレキシブルプリント配線板９５０がコネクタ９００に挿入された際に、フレキシブルプリント配線板９５０の接続部９６０に接続する。中間部９２６は、下顎部９２２と上顎部９２４とを互いに連結している。被固定部９２８は、コネクタ９００が回路基板（図示せず）に搭載される際に回路基板（図示せず）の配線パターン（図示せず）に半田付けされるものである。
【先行技術文献】
【特許文献】
【０００３】
【特許文献１】特開２０１５−１８８０００号公報
【発明の概要】
【発明が解決しようとする課題】
【０００４】
特許文献１のコネクタ９００は、硬い回路基板に搭載されるものである。一方、コネクタをケーブルやＦＰＣ（Flexible Printed Circuit），ＦＦＣ（Flexible Flat Cable）などの柔軟性のある基材に取り付けたいという要望がある。ここで、複数のケーブルの導線やＦＰＣなどに対してコネクタの端子を取り付ける際、ケーブル等の導線等をコネクタの各端子毎に半田付けするのでは組立工程が煩雑となる。よって組立工程を簡略化するため、パルスヒート法による各端子の一括した半田付けを可能とするような構造を有するコネクタが望まれる。
【０００５】
そこで本発明は、ケーブル等の柔軟性のある基材に搭載可能なコネクタであってパルスヒート法によりケーブル等と一括して接続可能な構造を有するコネクタを提供することを目的とする。また、本発明は、そのコネクタとケーブルとを備えたケーブルハーネスを提供することを目的とする。
【課題を解決するための手段】
【０００６】
本発明は、第１のコネクタとして、
上下方向において第１接続対象物に対して取付可能であると共に前記上下方向と直交する前後方向に沿って後方に向かって挿入されるシート状又は板状の第２接続対象物と接続可能なコネクタであって、
前記第１接続対象物は、複数の第１接続部を有しており、
前記第２接続対象物は、複数の第２接続部を有しており、
前記コネクタは、複数の端子と、保持部材とを備えており、
前記保持部材は、保持部と、介在部とを有しており、
前記端子は、前記保持部材の前記保持部に保持されており、
前記端子は、前記上下方向及び前記前後方向の双方と直交するピッチ方向に並んでおり、
前記端子の夫々は、結線部と、接点部とを有しており、
前記端子の前記結線部は、前記コネクタが前記第１接続対象物に取り付けられる際に、前記第１接続部に夫々接続されるものであり、
前記端子の前記接点部は、前記コネクタに前記第２接続対象物が挿入される際に、前記第２接続部に夫々接続されるものであり、
前記結線部は、前記上下方向と交差する板状の形状を有しており、
前記接点部の中心と前記結線部の中心とは、前記ピッチ方向において互いに異なる位置に位置しており、
前記介在部と前記結線部とは、前記上下方向に沿って前記コネクタを見た場合において、少なくとも部分的に互いに重なっており、
前記上下方向における上方向に沿って前記コネクタを見た場合に、前記介在部及び前記結線部の一方が視認可能であり、
前記上下方向における下方向に沿って前記コネクタを見た場合に、前記介在部及び前記結線部の残りの一方が視認可能である
コネクタを提供する。
【０００７】
また、本発明は、第２のコネクタとして、第１のコネクタであって、
前記保持部材は、上壁部と、下壁部とを更に有しており、
前記上壁部と前記下壁部とは、前記上下方向において互いに離れて位置しており、
前記上下方向における前記上壁部と前記下壁部との間には、受容部が形成されており、
前記受容部は、前記第２接続対象物が前記コネクタに接続されたときに前記第２接続対象物の一部を受容するものであり、
前記接点部は、前記上下方向において前記下壁部を超えて上方に突出しており、
前記介在部は、前記上下方向において前記結線部の上方に位置している
コネクタを提供する。
【０００８】
また、本発明は、第３のコネクタとして、第１又は第２のコネクタであって、
前記結線部は、前記接点部よりも前記前後方向において前方に位置しており、
前記上壁部の前端は、前記下壁部の前端よりも前記前後方向において後方に位置しており、
前記介在部は、前記下壁部の一部として形成されており、
前記上下方向における下方向に沿って前記コネクタを見た場合に、前記介在部は視認可能である
コネクタを提供する。
【０００９】
また、本発明は、第４のコネクタとして、第３のコネクタであって、
前記端子は、少なくとも所定領域においては、前記下壁部から前記上下方向において上方に突出する部分を有さず、
前記所定領域は、前記下壁部の前記前端から前記前後方向に沿って前記介在部の所定箇所までの領域であり、
前記介在部の前記所定箇所は、前記前後方向において前記結線部の後端と同じ位置に位置している
コネクタを提供する。
【００１０】
また、本発明は、第５のコネクタとして、第４のコネクタであって、
前記接点部は、前記上壁部の前記前端よりも前記前後方向において後方に位置している
コネクタを提供する。
【００１１】
また、本発明は、第６のコネクタとして、第３から第５までのいずれかのコネクタであって、
前記保持部材の下部には、収容凹部が形成されており、
前記収容凹部は、前記上下方向において上方に凹んでいると共に前記前後方向において後方へ抜けており、
前記収容凹部は、前記コネクタを前記第１接続対象物であるケーブルに対して取り付ける場合に、前記ケーブルの一部を収容する
コネクタを提供する。
【００１２】
また、本発明は、第７のコネクタとして、第１から第６までのいずれかのコネクタであって、
前記介在部は、前記保持部とは別体である
コネクタを提供する。
【００１３】
また、本発明は、第８のコネクタとして、第１から第７までのいずれかのコネクタであって、
前記端子は、下顎部と、上顎部と、中間部と、連結部とを更に有しており、
前記接点部は、前記下顎部から前記上下方向において上方に突出しており、
前記下顎部と前記上顎部とは、前記上下方向において互いに離れて位置しており、
前記中間部は、前記下顎部と前記上顎部とを互いに接続しており、
前記連結部は、前記下顎部の下縁と前記結線部とを連結しており、
前記下顎部の下縁と前記結線部とは、前記上下方向において互いに離れて位置している
コネクタを提供する。
【００１４】
また、本発明は、第９のコネクタとして、第８のコネクタであって、
前記保持部材には、対向部と、凹部とが形成されており、
前記対向部は、前記下顎部及び前記連結部の夫々と前記ピッチ方向において対向しており、
前記凹部は、前記対向部よりも前記ピッチ方向において凹んでいる
コネクタを提供する。
【００１５】
また、本発明は、第１０のコネクタとして、第９のコネクタであって、
前記凹部は、前方及び上方の双方において開放されている
コネクタを提供する。
【００１６】
また、本発明は、第１から第１０までのいずれかのコネクタと、ケーブルとを備えるケーブルハーネスであって、
前記ケーブルは前記第１接続対象物として前記コネクタに接続されている
ケーブルハーネスを提供する。
【発明の効果】
【００１７】
本発明のコネクタにおいては、端子の結線部を連結部からピッチ方向に折り曲げて形成しているため、接点部の中心と結線部の中心とは、ピッチ方向において互いに異なる位置に位置している。また、介在部と結線部とは、上下方向に沿ってコネクタを見た場合において、少なくとも部分的に互いに重なっている。これにより、ケーブル等（第１接続対象物）の導線等（第１接続部）を結線部に半田付けする際に、ケーブル等（第１接続対象物）の導線等（第１接続部）を結線部に押し当てても、この押圧力は介在部によって受け止められるため、端子自体が変形しにくい構造となっている。
【００１８】
また本発明のコネクタにおいては、結線部は、上下方向と交差する板状の形状を有しており、上方向に沿ってコネクタを見た場合には介在部及び結線部の一方が視認可能となっており、下方向に沿ってコネクタを見た場合には介在部及び結線部の残りの一方が視認可能となっている。これにより本発明のコネクタでは、結線部に対してケーブル等（第１接続対象物）の導線等（第１接続部）を接続する際に、複数のケーブル等（第１接続対象物）の導線等（第１接続部）と複数の結線部とを、介在部を介して加熱ツールと受け台とで一括して挟み込むことができる。これにより、複数の結線部に対して複数のケーブル等（第１接続対象物）の導線等（第１接続部）を一括して接続することができ、ケーブルハーネスの製造工程の簡略化を図ることができる。
【図面の簡単な説明】
【００１９】
【図１】本発明の第１の実施の形態によるコネクタとケーブルとを備えるケーブルハーネスを示す斜視図である。図において、ケーブルハーネスの一部を拡大して示してある。
【図２】図１のケーブルハーネスを示す別の斜視図である。図において、ケーブルハーネスの一部を拡大して示してある。
【図３】図１のケーブルハーネスを示す背面図である。
【図４】図１のケーブルハーネスを示す上面図である。
【図５】図１のケーブルハーネスを示す底面図である。
【図６】図１のケーブルハーネスを示す正面図である。図において、ケーブルハーネスの一部を拡大して示してある。
【図７】図６のケーブルハーネスをＡ−Ａ線に沿って示す断面図である。
【図８】図６のケーブルハーネスをＢ−Ｂ線に沿って示す断面図である。
【図９】図１のケーブルハーネスを示す側面図である。
【図１０】図１のケーブルハーネスに含まれるコネクタとケーブルとを接続する工程を説明するための斜視図である。ここで、コネクタの介在部及びケーブルの導線は、加熱ツール及び受け台により挟まれている。
【図１１】図１０のケーブルハーネスを示す別の斜視図である。
【図１２】図１０のケーブルハーネスを示す上面図である。
【図１３】図１０のケーブルハーネスを示す底面図である。
【図１４】図１０のケーブルハーネスを示す正面図である。
【図１５】図１４のケーブルハーネスをＣ−Ｃ線に沿って示す断面図である。
【図１６】図１４のケーブルハーネスをＤ−Ｄ線に沿って示す断面図である。
【図１７】変形例によるケーブルハーネスを示す斜視図である。
【図１８】図１７のケーブルハーネスを示す別の斜視図である。
【図１９】図１７のケーブルハーネスを示す上面図である。
【図２０】図１７のケーブルハーネスを示す正面図である。図において、ケーブルハーネスの一部を拡大して示してある。
【図２１】図２０のケーブルハーネスをＥ−Ｅ線に沿って示す断面図である。
【図２２】図２０のケーブルハーネスをＦ−Ｆ線に沿って示す断面図である。
【図２３】本発明の第２の実施の形態によるコネクタとケーブルとを備えるケーブルハーネスを示す斜視図である。
【図２４】図２３のケーブルハーネスを示す別の斜視図である。
【図２５】図２３のケーブルハーネスを示す背面図である。
【図２６】図２３のケーブルハーネスを示す上面図である。
【図２７】図２３のケーブルハーネスを示す底面図である。
【図２８】図２３のケーブルハーネスを示す正面図である。図において、ケーブルハーネスの一部を拡大して示してある。
【図２９】図２８のケーブルハーネスをＧ−Ｇ線に沿って示す断面図である。
【図３０】図２８のケーブルハーネスをＨ−Ｈ線に沿って示す断面図である。
【図３１】特許文献１のコネクタとフレキシブルプリント配線板とを示す斜視図である。
【図３２】図３１のコネクタを示す断面図である。
【発明を実施するための形態】
【００２０】
（第１の実施の形態）
図１及び図２に示されるように、本発明の第１の実施の形態によるケーブルハーネス１０は、コネクタ１００とケーブル６００を備えている。ここで、ケーブル６００は第１接続対象物６００としてコネクタ１００に接続されている。
【００２１】
図１及び図２に示されるように、本実施の形態によるコネクタ１００は、上下方向においてケーブル６００などの第１接続対象物６００に対して取付可能である。また本実施の形態のコネクタ１００は、上下方向と直交する前後方向に沿って後方に向かって挿入されるＦＰＣ（Flexible Printed Circuit）やＦＦＣ（Flexible Flat Cable）などの第２接続対象物７００と、接続可能なものである。本実施の形態において、上下方向はＺ方向である。上方は＋Ｚ方向であり、下方は−Ｚ方向である。また本実施の形態において、前後方向はＸ方向である。前方は＋Ｘ方向であり、後方は−Ｘ方向である。
【００２２】
図１及び図２に示されるように、第１接続対象物６００は、複数のケーブル６００から構成されており、複数の導線（第１接続部）６１０を有している。また、第２接続対象物７００は、シート状又は板状の形状を有しており、且つ複数の第２接続部７１０を有している。
【００２３】
図１及び図２に示されるように、本実施の形態のコネクタ１００は、保持部材２００と、複数の端子４００とを備えている。
【００２４】
図６、図７及び図８に示されるように、保持部材２００は、保持部２１０と、上壁部２２０と、下壁部２３０と、端子保持部２４５と、可動部材２５０と、可動部材収容部２６０と、可動部材支持部２６５と、収容凹部２８０と、収容溝２９０とを有している。
【００２５】
図４、図７及び図８に示されるように、上壁部２２０は、保持部材２００の上端に位置しており、上下方向と直交する略平板形状を有している。また下壁部２３０は、上下方向において上壁部２２０の下方に位置しており、上下方向と直交する略平板形状を有している。上壁部２２０と下壁部２３０とは、上下方向において互いに離れて位置している。また上壁部２２０の前端は、下壁部２３０の前端よりも前後方向において後方に位置している。下壁部２３０は、介在部２４０を有している。即ち、本実施の形態の介在部２４０は、下壁部２３０の一部として形成されている。
【００２６】
図１、図７及び図８に示されるように、介在部２４０は、保持部材２００の前端付近に位置しており、保持部２１０は、介在部２４０の後方から連続して保持部材２００の後端にまで達している。即ち、本実施の形態の介在部２４０は、保持部２１０と一体に形成されている。また、介在部２４０は、上下方向と直交する上面及び下面を有している。
【００２７】
図１及び図６から図８までに示されるように、上下方向における上壁部２２０と下壁部２３０との間には、受容部２７０が形成されている。即ち、受容部２７０は、前端に開口を有している。この受容部２７０は、第２接続対象物７００がコネクタ１００に接続されたときに第２接続対象物７００の一部を受容するものである。
【００２８】
図３、図７及び図８までに示されるように、端子保持部２４５は、保持部材２００の後端から受容部２７０までを前後方向において連通する孔である。
【００２９】
図１、図３、図７及び図８までに示されるように、可動部材２５０は、上壁部２２０の後方であって下壁部２３０の上方に位置しており、上下方向及び前後方向の双方と直交するピッチ方向に延びる複数のカム部２５５を有している。本実施の形態において、ピッチ方向はＹ方向である。カム部２５５は、ピッチ方向と直交する平面内において略楕円形の断面を有している。可動部材収容部２６０は、保持部材２００の後端付近に位置しており、保持部材２００の後方及び上方の双方において開放された凹部である。可動部材支持部２６５は、上下方向と直交する平面であり、可動部材収容部２６０の下面でもある。
【００３０】
図７及び図８から理解されるように、可動部材２５０は、その先端を前後方向に倒すことにより、カム部２５５を軸として回転運動可能であり、可動部材２５０の先端を後方に倒すと、可動部材２５０は可動部材収容部２６０に収容される。ここで、図７及び図８に示すように、可動部材２５０が前方に倒されて上壁部２２０の後端と接触している状態では、カム部２５５は、略楕円形の断面の短軸方向を概ね上下方向に向けている。また、可動部材２５０を後方に倒して可動部材収容部２６０に収容された状態においては、カム部２５５は、略楕円形の断面の長軸方向を概ね上下方向に向けている。
【００３１】
図２、図５及び図７から図９までに示されるように、保持部材２００の下部には、収容凹部２８０が形成されている。収容凹部２８０は、上下方向において上方に凹んでいると共に前後方向において後方へ抜けている。収容凹部２８０は、コネクタ１００をケーブル（第１接続対象物）６００に対して取り付ける場合に、ケーブル６００の一部を収容するものである。
【００３２】
図３、図６及び図７に示されるように、収容溝２９０は、保持部材２００を前後方向において貫通している。また、収容溝２９０には、対向部２９２と、凹部２９５とが形成されている。より具体的には、収容溝２９０の下端付近には、ピッチ方向に対向する内壁として対向部２９２が形成されており、この対向部２９２の上方には凹部２９５が形成されている。凹部２９５は、対向部２９２よりもピッチ方向において凹んでいる。より具体的には、凹部２９５は、前方及び上方の双方において開放されている。従って、図４を参照すると、コネクタ１００を上方から見た時に、凹部２９５は視認可能となっており、また図６を参照すると、コネクタ１００を前方から見た時にも、凹部２９５は視認可能となっている。これにより、凹部２９５を成型する際に保持部材２００から金型を抜きやすくなっており、また凹部２９５のサイズを大きく確保することができる。
【００３３】
図６、図７及び図８から理解されるように、端子４００の夫々は、保持部材２００の保持部２１０に保持されている。また端子４００は、ピッチ方向に並んでいる。
【００３４】
図７及び図８に示されるように、端子４００の夫々は、結線部４１０と、下顎部４３０と、接点部４２０と、上顎部４４０と、中間部４５０と、連結部４６０と、カム部支持部４６５と、被保持部４７０とを有している。
【００３５】
図２及び図５から図８に示されるように、結線部４１０は、コネクタ１００がケーブル（第１接続対象物）６００に取り付けられる際に、ケーブル６００の導線６１０に夫々接続されるものである。結線部４１０は、前後方向において端子４００の前端及び下端に位置しており、上下方向と交差する板状の形状を有している。本実施の形態の結線部４１０の前端は、前後方向において保持部材２００の介在部２４０の前端よりも前方に位置している。しかしながら、本発明はこれに限定されない。上下方向における上方向に沿ってコネクタ１００を見た場合に結線部４１０が視認可能となっているのであれば、結線部４１０の前端が、保持部材２００の介在部２４０の前端よりも後方に位置していてもよい。
【００３６】
図１、図４、図５、図７及び図８から理解されるように、保持部材２００の介在部２４０と端子４００の結線部４１０とは、上下方向に沿ってコネクタ１００を見た場合において、少なくとも部分的に互いに重なっている。より具体的には、介在部２４０は、上下方向において結線部４１０の上方に位置している。本実施の形態においては、上下方向における上方向に沿ってコネクタ１００を見た場合に、結線部４１０が視認可能となっている。また本実施の形態において、上下方向における下方向に沿ってコネクタ１００を見た場合に、介在部２４０及び結線部４１０が視認可能となっている。しかしながら、本発明はこれに限定されない。上下方向における上方向に沿ってコネクタを見た場合に、介在部及び結線部の一方が視認可能となっており、また上下方向における下方向に沿ってコネクタを見た場合に、介在部及び結線部の残りの一方が視認可能となっていればよい。
【００３７】
図１、図４、図７及び図８から理解されるように、端子４００は、少なくとも所定領域Ｒにおいては、下壁部２３０から上下方向において上方に突出する部分を有していない。ここで、所定領域Ｒは、下壁部２３０の前端から前後方向に沿って介在部２４０の所定箇所Ｐまでの領域であり、介在部２４０の所定箇所Ｐは、前後方向において結線部４１０の後端と同じ位置に位置している。
【００３８】
図７及び図８に示されるように、下顎部４３０は、概ね前後方向に延びており、下顎部４３０の下縁は、連結部４６０の上端と連結されている。下顎部４３０の下縁と結線部４１０とは、上下方向において互いに離れて位置している。下顎部４３０は、下顎部４３０の前後方向における中央付近から前方且つ上方に延びる接点部支持部４２５を有している。接点部支持部４２５は、片持ち形状を有しており、後端を支点として上下方向に弾性変形可能となっている。
【００３９】
図２、図７及び図８から理解されるように、接点部４２０は、コネクタ１００に第２接続対象物７００が挿入される際に、第２接続部７１０に夫々接続されるものである。
【００４０】
図６、図７及び図８に示されるように、接点部４２０は、上下方向において下壁部２３０を超えて上方に突出している。即ち、接点部４２０の上端は、上下方向において下壁部２３０の上面より上方に位置している。より具体的には、接点部４２０は、下顎部４３０から上下方向において上方に突出している。より詳しくは、接点部４２０は接点部支持部４２５の前端付近から上方に突出している。また、上述のように、接点部支持部４２５は、上下方向に弾性変形可能となっているため、接点部４２０は、上下方向に移動可能となっている。また、接点部４２０は、上壁部２２０の前端よりも前後方向において後方に位置している。
【００４１】
図６に示されるように、接点部４２０の中心と結線部４１０の中心とは、ピッチ方向において互いに異なる位置に位置している。上述のように、結線部４１０の上方には介在部２４０が位置しているため、ケーブル６００の導線６１０を結線部４１０に半田付けする際に、ケーブル６００の導線６１０を結線部４１０に押し当てても、この押圧力は介在部２４０の下面によって受け止められるため、端子４００自体が変形しにくい構造となっている。
【００４２】
図７及び図８に示されるように、本実施の形態の結線部４１０は、接点部４２０よりも前後方向において前方に位置している。
【００４３】
図７及び図８に示されるように、上顎部４４０は、前後方向に延びており、上下方向において下方に突き出した押圧部４４５を有している。押圧部４４５は、前後方向において上顎部４４０の前端付近に位置している。
【００４４】
図７及び図８に示されるように、下顎部４３０と上顎部４４０とは、上下方向において互いに離れて位置している。また、接点部４２０と押圧部４４５とは、上下方向において概ね対向している。
【００４５】
図７及び図８に示されるように、中間部４５０は、上下方向において下顎部４３０と上顎部４４０とを互いに接続している。より具体的には、中間部４５０は、上下方向において、下顎部４３０の前後方向における中央付近と、上顎部４４０の前後方向における中央付近とを互いに連結している。即ち、上顎部４４０は、中間部４５０の上端のみと連結されているため、上顎部４４０は、中間部４５０の上端を支点としてシーソー運動可能となっている。
【００４６】
図７及び図８に示されるように、連結部４６０は、上下方向において下顎部４３０の下縁と結線部４１０の上端とを連結している。
【００４７】
図１、図６及び図７から理解されるように、保持部材２００の収容溝２９０は、端子４００を夫々収容している。より具体的には、保持部材２００の収容溝２９０の対向部２９２及び凹部２９５の夫々は、下顎部４３０及び連結部４６０の夫々とピッチ方向において対向している。即ち、下顎部４３０及び連結部４６０のピッチ方向両側には、対向部２９２と凹部２９５が位置している。
【００４８】
図７及び図８に示されるように、カム部支持部４６５は、下顎部４３０の一部であり、前後方向において、中間部４５０の後方に位置している。また、カム部支持部４６５の上縁は、上下方向において可動部材２５０のカム部２５５と接触している。
【００４９】
図７及び図８に示されるように、被保持部４７０は、端子４００の下顎部４３０の後端から後方に延びており、保持部材２００の端子保持部２４５に圧入されている。
【００５０】
図１０から図１６までを参照すると、コネクタ１００の端子４００の結線部４１０と、ケーブル（第１接続対象物）６００の導線（第１接続部）６１０との結線は、以下に説明するように行われる。
【００５１】
まず、半田を乗せた結線部４１０と、ケーブル６００の導線６１０とを、上下方向において夫々接触させたうえで、コネクタ１００の保持部材２００の介在部２４０の上面に受け台８００を接触させ、且つ、ケーブル６００の導線６１０の下端に加熱ツール８５０を接触させる。このとき、介在部２４０と端子４００の結線部４１０とケーブル６００の導線６１０とは、上下方向において受け台８００と加熱ツール８５０との間に挟まれることとなる。またこのとき、受け台８００は、受け台８００の下面が介在部２４０の所定領域Ｒを含むように、介在部２４０の上面と接触している。
【００５２】
次に、加熱ツール８５０により、ケーブル６００の導線６１０を上方に加圧しながら加熱する。このとき、加熱ツール８５０による上方への加圧力は、介在部２４０を介して受け台８００により受け止められるため、導線６１０は結線部４１０に対して十分に押し付けられることとなる。これにより、結線部４１０に乗せられた半田が溶解して、複数ケーブル６００の導線６１０と複数の端子４００の結線部４１０とが、一括して半田付けされることとなる。
【００５３】
上述したように、本実施の形態においては、端子４００が収容されている収容溝２９０のピッチ方向両側には凹部２９５が設けられている。これにより、端子４００の結線部４１０に対してケーブル６００の導線６１０を上述のように半田付けした際に、毛細管現象により対向部２９２で仕切られた収容溝２９０を溶解した余剰の半田が上昇しても、対向部２９２の上部に位置する凹部２９５において上昇してきた余剰の半田が捕捉されるため、下壁部２３０の上面にまで余剰の半田が上がってしまうことが防がれる。特に、本実施の形態のコネクタ１００においては、上述のように凹部２９５のサイズを大きく確保することができるため、上昇してきた余剰の半田を十分に捕捉することができる。
【００５４】
なお、上述のように、端子４００が少なくとも所定領域Ｒにおいて下壁部２３０から上下方向において上方に突出する部分を有していないことから、受け台８００として溝加工等を有さない平坦なものを使用することができ、受け台８００が安価となる利点を有する。
【００５５】
図２、図７及び図８を参照して、コネクタ１００とＦＰＣ等の第２接続対象物７００との接続は、以下に説明するように行われる。
【００５６】
まずコネクタ１００の可動部材２５０を前方に倒した状態で、ＦＰＣ等の第２接続対象物７００を、コネクタ１００の受容部２７０に向けて後方に移動させると、第２接続対象物７００の後端側の一部は、コネクタ１００の受容部２７０内に位置することとなる。このとき、第２接続対象物７００の下面に位置する複数の第２接続部７１０は、コネクタ１００の端子４００の接点部４２０の上方に位置している。次に、可動部材２５０を可動部材収容部２６０に収容されるように後方に倒すと、可動部材２５０のカム部２５５は、上述のように、略楕円形の断面の長軸方向を概ね上下方向に向けるように回転する。これにより、カム部２５５は、上顎部４４０の後端付近の下縁を上方へと押し上げるため、上顎部４４０は中間部４５０の上端を支点としてシーソー運動し、上顎部４４０の前端付近に位置する押圧部４４５は下方に押し下げられる。よって、第２接続対象物７００は、上下方向において押圧部４４５と接点部４２０とで挟まれることとなり、コネクタ１００の端子４００の接点部４２０は、第２接続対象物７００の第２接続部７１０と、夫々確実に接続されることとなる。
【００５７】
コネクタ１００に接続された第２接続対象物７００の取り外しについては、上述の接続動作と逆の手順により実現される。即ち、可動部材２５０を前方に倒して上壁部２２０の後端と接触させると、カム部２５５は略楕円形の断面の短軸方向を概ね上下方向に向けるように回転するため、上顎部４４０の後端付近の下縁に付勢されていた上方に向かう力は解除される。これにより、上顎部４４０は中間部４５０の上端を支点としてシーソー運動し、上顎部４４０の押圧部４４５も上方に移動するため、押圧部４４５と接点部４２０による第２接続対象物７００の挟持も解除されて第２接続対象物７００は前方に引抜可能な状態となる。よって、この状態において第２接続対象物７００を前方へ引き抜くことにより、コネクタ１００と第２接続対象物７００との接続は解除される。
【００５８】
ケーブルハーネス１０の構成は、上述したものには限定されず、例えば、以下のような変形が可能である。
【００５９】
図１７及び図１８を参照すると、本発明の変形例によるケーブルハーネス１０Ａは、上述した第１の実施の形態によるケーブルハーネス１０（図１参照）と略同一の構成を有している。そのため、図１７から図２２までに示される構成要素のうち、第１の実施の形態と同様の構成要素に対しては同一の参照符号を付すこととする。
【００６０】
図１７及び図１８に示されるように、変形例によるケーブルハーネス１０Ａは、コネクタ１００Ａとケーブル６００とを備えている。このうち、ケーブル６００は上述した第１の実施の形態のケーブルハーネス１０のものと同じ構造を有するものである。従って、これについては詳細な説明を省略する。
【００６１】
図１７及び図１８に示されるように、コネクタ１００Ａは、保持部材２００Ａと、複数の端子４００とを備えている。本実施の形態の端子４００は、上述した第１の実施の形態のコネクタ１００のものと同じ構造を有するものである。従って、端子４００について詳細な説明は省略する。
【００６２】
図１７から図２２までに示されるように、保持部材２００Ａは、保持部２１０Ａと、介在部２４０Ａと、上壁部２２０Ａと、下壁部２３０Ａと、端子保持部２４５Ａと、可動部材２５０Ａと、可動部材収容部２６０Ａと、可動部材支持部２６５Ａと、収容凹部２８０Ａと、収容溝２９０Ａとを有している。本実施の形態の保持部材２００Ａは、保持部２１０Ａ、介在部２４０Ａ及び下壁部２３０Ａ以外の構成要素については、第１の実施の形態のコネクタ１００のものと同様な構造を有している。従って、保持部２１０Ａ、介在部２４０Ａ及び下壁部２３０Ａ以外の構成要素については、詳細な説明を省略する。
【００６３】
図２０から図２２までに示されるように、本実施の形態の保持部２１０Ａは、前後方向と直交する前面２１２Ａを有している。保持部２１０Ａの前面２１２Ａは、前後方向において上壁部２２０Ａの前端と同じ位置に位置している。
【００６４】
図２０から図２２までに示されるように、本実施の形態の介在部２４０Ａは、ピッチ方向に延びる角棒状の形状を有している。即ち、本実施の形態の介在部２４０Ａは、前後方向と直交する前面及び後面を有しており、上下方向と直交する上面及び下面を有している。また本実施の形態の介在部２４０Ａは、保持部２１０Ａと別体となっており、保持部２１０Ａの前面２１２Ａは、前後方向において介在部２４０Ａの後面と接触している。介在部２４０Ａには、複数の連結部収容溝２４２Ａが形成されている。
【００６５】
図２０から図２２までに示されるように、連結部収容溝２４２Ａは、介在部２４０Ａの前面及び下面において開放されており、介在部２４０Ａの前面及び下面の夫々と介在部２４０Ａの上面とを連通している。連結部収容溝２４２Ａには、端子４００の連結部４６０及び下顎部４３０の前端付近の一部が収容されている。
【００６６】
図１７から図２２までから理解されるように、本実施の形態のコネクタ１００Ａは、介在部２４０Ａを保持部２１０Ａと別体としたことにより、コネクタ１００Ａの保持部材２００Ａの保持部２１０Ａに対して端子４００を組み込みやすくなっている。また、端子４００を保持部材２００Ａの保持部２１０Ａに対して組み込んだ後、別体の介在部２４０Ａを端子４００に嵌め込むことができるため、コネクタ１００Ａ自体の組立が容易となっている。
【００６７】
コネクタ１００Ａの端子４００の結線部４１０と、ケーブル６００の導線６１０との結線は、前述した第１の実施の形態のコネクタ１００の場合と同様に行われる。従って、詳細な説明は省略する。
【００６８】
コネクタ１００ＡとＦＰＣ等の第２接続対象物７００との接続は、前述した第１の実施の形態のコネクタ１００の場合と同様に行われる。従って、詳細な説明は省略する。
【００６９】
（第２の実施の形態）
図２３及び図２４を参照すると、本発明の第２の実施の形態のケーブルハーネス１０Ｂは、上述した第１の実施の形態によるケーブルハーネス１０（図１参照）と略同一の構成を有している。そのため、図２３から図３０までに示される構成要素のうち、第１の実施の形態と同様の構成要素に対しては同一の参照符号を付すこととする。
【００７０】
図２３及び図２４に示されるように、本実施の形態によるケーブルハーネス１０Ｂは、コネクタ１００Ｂとケーブル６００とを備えている。ケーブル６００は上述した第１の実施の形態のケーブルハーネス１０のものと同じ構造を有するものである。従って、これについては詳細な説明を省略する。
【００７１】
図１、図２、図２３及び図２４を参照すると、本発明の第２の実施の形態によるコネクタ１００Ｂは、上下方向においてケーブル６００などの第１接続対象物６００に対して取付可能である。また本実施の形態のコネクタ１００Ｂは、上下方向と直交する前後方向に沿って後方に向かって挿入されるＦＰＣやＦＦＣなどの第２接続対象物７００と、接続可能なものである。本実施の形態において、上下方向はＺ方向である。上方は＋Ｚ方向であり、下方は−Ｚ方向である。また本実施の形態において、前後方向はＸ方向である。前方は＋Ｘ方向であり、後方は−Ｘ方向である。
【００７２】
図２３から図３０までに示されるように、コネクタ１００Ｂは、保持部材２００Ｂと、複数の端子４００Ｂとを備えている。
【００７３】
図２３から図３０までに示されるように、保持部材２００Ｂは、介在部２４０Ｂと、保持部２１０Ｂと、上壁部２２０Ｂと、下壁部２３０Ｂと、可動部材２５０Ｂと、可動部材収容部２６０Ｂと、可動部材支持部２６５Ｂと、収容溝２９０Ｂとを有している。ここで、保持部２１０Ｂと介在部２４０Ｂ以外の構成要素については、上述した第１の実施の形態のコネクタ１００のものと同様の構造を有するものである。従って、これらについては詳細な説明を省略する。
【００７４】
図２９及び図３０までに示されるように、介在部２４０Ｂは、前後方向において保持部材２００Ｂの後端付近に位置しており、上下方向と直交する上面及び下面を有している。
【００７５】
図２９及び図３０までに示されるように、保持部２１０Ｂは、前後方向において介在部２４０Ｂから前方に延びている。即ち、本実施の形態の介在部２４０Ｂは、保持部２１０Ｂと一体に形成されている。
【００７６】
図２９及び図３０に示されるように、端子４００Ｂは、結線部４１０Ｂと、接点部４２０Ｂと、下顎部４３０Ｂと、上顎部４４０Ｂと、中間部４５０Ｂと、連結部４６０Ｂと、カム部支持部４６５Ｂとを有している。ここで、上顎部４４０Ｂ、中間部４５０Ｂ及びカム部支持部４６５Ｂについては、上述した第１の実施の形態のコネクタ１００の端子４００のものと同様の構造を有するものである。従って、これらについては詳細な説明を省略する。
【００７７】
図２８から図３０までに示されるように、結線部４１０Ｂは、コネクタ１００Ｂがケーブル６００に取り付けられる際に、ケーブル６００の導線６１０に夫々接続されるものである。本実施の形態の結線部４１０Ｂは、接点部４２０Ｂよりも前後方向において後方に位置している。より具体的には、本実施の形態の結線部４１０Ｂは、前後方向において端子４００Ｂの後端及び下端に位置しており、上下方向と交差する板状の形状を有している。
【００７８】
図２６、図２７、図２９及び図３０から理解されるように、保持部材２００Ｂの介在部２４０Ｂと端子４００Ｂの結線部４１０Ｂとは、上下方向に沿ってコネクタ１００Ｂを見た場合において、少なくとも部分的に互いに重なっている。より具体的には、介在部２４０Ｂは、上下方向において結線部４１０Ｂの上方に位置している。本実施の形態においては、上下方向における上方向に沿ってコネクタ１００Ｂを見た場合に、結線部４１０Ｂが視認可能となっている。また本実施の形態において、上下方向における下方向に沿ってコネクタ１００Ｂを見た場合に、介在部２４０Ｂが視認可能となっている。しかしながら、本発明はこれに限定されない。上下方向における上方向に沿ってコネクタを見た場合に、介在部及び結線部の一方が視認可能となっており、また上下方向における下方向に沿ってコネクタを見た場合に、介在部及び結線部の残りの一方が視認可能となっていればよい。
【００７９】
図２９及び図３０に示されるように、下顎部４３０Ｂは、前後方向に延びて保持部材２００Ｂの後端に達している。より具体的には、下顎部４３０Ｂは、前端に向かうにつれて上方に延びている。また、下顎部４３０Ｂは、上下方向に弾性変形可能となっている。下顎部４３０Ｂと上顎部４４０Ｂとは、上下方向において互いに離れて位置している。
【００８０】
図２９及び図３０に示されるように、下顎部４３０Ｂの下縁は、連結部４６０Ｂの上端と連結されている。また下顎部４３０Ｂの下縁と結線部４１０Ｂとは、上下方向において互いに離れて位置している。
【００８１】
図２、図２９及び図３０から理解されるように、接点部４２０Ｂは、コネクタ１００Ｂに第２接続対象物７００が挿入される際に、第２接続部７１０に夫々接続されるものである。
【００８２】
図２９及び図３０に示されるように、接点部４２０Ｂは、下顎部４３０Ｂの前端付近から上下方向において上方に突出している。即ち、接点部４２０Ｂの上端は、下壁部２３０Ｂの上面から上方に離れて位置している。上述のように下顎部４３０Ｂは上下方向に弾性変形可能となっているため、接点部４２０Ｂは、上下方向に移動可能となっている。また接点部４２０Ｂは、上壁部２２０Ｂの前端及び下壁部２３０Ｂの前端よりも前後方向において後方に位置している。
【００８３】
図２８から図３０までから理解されるように、接点部４２０Ｂの中心と結線部４１０Ｂの中心とは、ピッチ方向において互いに異なる位置に位置している。本実施の形態において、ピッチ方向はＹ方向である。これにより、ケーブル６００の導線６１０を結線部４１０Ｂに半田付けする際に、ケーブル６００の導線６１０を結線部４１０Ｂに押し当てても、この押圧力は介在部２４０Ｂの下面によって受け止められるため、端子４００Ｂ自体が変形しにくい構造となっている。
【００８４】
図２９及び図３０に示されるように、本実施の形態の連結部４６０Ｂは、前後方向において端子４００Ｂの後端に位置しており、下顎部４３０Ｂの後端に位置する下縁と結線部４１０Ｂの上端とを連結している。
【００８５】
コネクタ１００Ｂの端子４００Ｂの結線部４１０Ｂと、ケーブル（第１接続対象物）６００の導線（第１接続部）６１０との結線は、前述した第１の実施の形態のコネクタ１００の場合と同様に行われる。従って、詳細な説明は省略する。
【００８６】
コネクタ１００ＢとＦＰＣ等の第２接続対象物７００との接続は、前述した第１の実施の形態のコネクタ１００の場合と同様に行われる。従って、詳細な説明は省略する。
【００８７】
以上、本発明について、複数の実施の形態を掲げて具体的に説明してきたが、本発明はこれに限定されるわけではなく、種々の変形が可能である。
【００８８】
例えば、上述した実施の形態のコネクタ１００，１００Ａ，１００Ｂは、いずれも可動部材２５０，２５０Ａ，２５０Ｂを備えていたが、本発明はこれに限定されない。コネクタは可動部材２５０，２５０Ａ，２５０Ｂを有さず、そのため、第２接続対象物７００をコネクタに挿入する際に挿入力を必要とするようなものであってもよい。
【００８９】
本実施の形態のコネクタ１００，１００Ａ、１００Ｂは、第２接続対象物７００がコネクタ１００，１００Ａ，１００Ｂに挿入される際には、接点部４２０，４２０Ｂのみが第２接続対象物７００の第２接続部７１０と接続されるものであったが、本発明はこれに限定されるわけではなく、押圧部４４５，４４５Ｂが、第２接続対象物７００の上面に形成された接続部と接続されるものであってもよい。
【符号の説明】
【００９０】
１０，１０Ａ，１０Ｂ              ケーブルハーネス
１００，１００Ａ、１００Ｂ        コネクタ
２００，２００Ａ，２００Ｂ        保持部材
２１０，２１０Ａ，２１０Ｂ        保持部
２１２Ａ                          前面
２２０，２２０Ａ，２２０Ｂ        上壁部
２３０，２３０Ａ，２３０Ｂ        下壁部
２４０，２４０Ａ，２４０Ｂ        介在部
２４２Ａ                          連結部収容溝
２４５，２４５Ａ                  端子保持部
２５０，２５０Ａ，２５０Ｂ        可動部材
２５５，２５５Ａ，２５５Ｂ        カム部
２６０，２６０Ａ，２６０Ｂ        可動部材収容部
２６５，２６５Ａ，２６５Ｂ        可動部材支持部
２７０，２７０Ａ，２７０Ｂ        受容部
２８０，２８０Ａ                  収容凹部
２９０，２９０Ａ，２９０Ｂ        収容溝
２９２                            対向部
２９５                            凹部
４００，４００Ｂ                  端子
４１０，４１０Ｂ                  結線部
４２０，４２０Ｂ                  接点部
４２５                            接点部支持部
４３０，４３０Ｂ                  下顎部
４４０，４４０Ｂ                  上顎部
４４５，４４５Ｂ                  押圧部
４５０，４５０Ｂ                  中間部
４６０，４６０Ｂ                  連結部
４６５，４６５Ｂ                  カム部支持部
４７０                            被保持部
６００                            第１接続対象物（ケーブル）
６１０                            第１接続部（導線）
７００                            第２接続対象物
７１０                            第２接続部
８００                            受け台
８５０                            加熱ツール
Ｐ                                所定箇所
Ｒ                                所定領域
【図１】
0006634348.tif 000002
【図２】
0006634348.tif 000003
【図３】
0006634348.tif 000004
【図４】
0006634348.tif 000005
【図５】
0006634348.tif 000006
【図６】
0006634348.tif 000007
【図７】
0006634348.tif 000008
【図８】
0006634348.tif 000009
【図９】
0006634348.tif 000010
【図１０】
0006634348.tif 000011
【図１１】
0006634348.tif 000012
【図１２】
0006634348.tif 000013
【図１３】
0006634348.tif 000014
【図１４】
0006634348.tif 000015
【図１５】
0006634348.tif 000016
【図１６】
0006634348.tif 000017
【図１７】
0006634348.tif 000018
【図１８】
0006634348.tif 000019
【図１９】
0006634348.tif 000020
【図２０】
0006634348.tif 000021
【図２１】
0006634348.tif 000022
【図２２】
0006634348.tif 000023
【図２３】
0006634348.tif 000024
【図２４】
0006634348.tif 000025
【図２５】
0006634348.tif 000026
【図２６】
0006634348.tif 000027
【図２７】
0006634348.tif 000028
【図２８】
0006634348.tif 000029
【図２９】
0006634348.tif 000030
【図３０】
0006634348.tif 000031
【図３１】
0006634348.tif 000032
【図３２】
0006634348.tif 000033